(57)【要約】【課題】簡易な構造で衝撃吸収力を向上させることができる、アンカーの定着構造及び方法を提供する。【解決手段】コンクリート構造物１１に形成された型抜き部１２に挿通され埋め込まれて固定されるアンカー２の定着構造１であって、コンクリート構造物１１に埋め込まれ型抜き部１２を形成するとともに弾性体により形成された型枠３と、型枠３に挿通されたアンカー２を固定する充填材４と、を有している。コンクリート構造物１１と充填材４との間に緩衝材として作用する弾性体を介在させることができ、簡易な構造で衝撃吸収力を向上させることができる。【選択図】図１
2014227700.tif 000002
【特許請求の範囲】
【請求項１】
コンクリート構造物に形成された型抜き部に挿通され埋め込まれて固定されるアンカーの定着構造において、
前記コンクリート構造物に埋め込まれ前記型抜き部を形成するとともに弾性体により形成された型枠と、
該型枠に挿通された前記アンカーを固定する充填材と、
を有することを特徴とするアンカーの定着構造。
【請求項２】
前記型枠は、有底若しくは無底の筒形状、中心線が前記アンカーの延伸方向に対して傾斜した有底若しくは無底の筒形状、底部に向かって拡径した有底若しくは無底の筒形状、外周面に凹凸を有する有底若しくは無底の筒形状、底部に拡径したヘッドプレートを有する有底若しくは無底の筒形状又は外周面に複数のずれ止めが配置された有底若しくは無底の筒形状のいずれか一つの形状を有している、ことを特徴とする請求項１に記載のアンカーの定着構造。
【請求項３】
前記型枠は、外周面に形成された複数の開口部と、前記コンクリート構造物のコンクリート打設時に前記開口部を封止する仕切部材と、該仕切部材を貫通して前記開口部に挿通されるずれ止めと、を有することを特徴とする請求項１に記載のアンカーの定着構造。
【請求項４】
コンクリート構造物に形成された型抜き部に挿通され埋め込まれて固定されるアンカーの定着方法において、
前記コンクリート構造物のコンクリート打設時に前記型抜き部を形成するとともに弾性体により形成された型枠を設置する型枠設置工程と、
前記型枠により形成された前記型抜き部に前記アンカーを挿通するとともに前記型枠の内部に充填材を充填し前記アンカーを固定するアンカー固定工程と、
を有することを特徴とするアンカーの定着方法。
【請求項５】
前記型枠は、外周面に形成された複数の開口部を有し、前記アンカー固定工程の前に、前記開口部を封止する仕切部材を配置する封止工程と、前記仕切部材を貫通して前記開口部にずれ止めを挿通するずれ止め配置工程と、を有することを特徴とする請求項４に記載のアンカーの定着方法。
【請求項６】
前記コンクリート構造物のコンクリート固化後かつ前記アンカー固定工程の前に、前記仕切部材を除去する仕切部材除去工程を有する、ことを特徴とする請求項５に記載のアンカーの定着方法。
【発明の詳細な説明】
【技術分野】
【０００１】
本発明は、アンカーの定着構造及び方法に関し、特に、衝撃吸収力に優れたアンカーの定着構造及び方法に関する。
【背景技術】
【０００２】
建築物を基礎コンクリートに固定したり、橋梁の付属物等をコンクリート製の下部構造物に固定したり、工作機械や設備機器をコンクリート部材（例えば、柱、梁、床、壁等）に固定したりする場合には、アンカーボルトが一般に使用される。アンカーボルトは、コンクリート構造物（基礎コンクリート、下部構造物、コンクリート部材等）に形成された型抜き部に挿通され、その隙間にコンクリート、モルタル、エポキシアクリレート樹脂等を充填することにより、コンクリート構造物に埋め込まれて固定される。
【０００３】
このようなアンカーの定着構造では、アンカーボルトが強固にコンクリート構造物に固定されているとともに、アンカーボルトが金属製のため弾性力に乏しいことから、地震や振動により大きな水平力や上向きの引張力が作用した場合に構造的な弱点となりやすい傾向にある。
【０００４】
そこで、アンカーの定着構造の衝撃吸収力を向上させるための方法が種々提案されている。例えば、特許文献１には、アンカーボルトの外周にゴム材を配置する方法が開示されており、特許文献２には、アンカーボルトとベースプレートとの接合部に衝撃吸収材を配置する方法が開示されている。
【先行技術文献】
【特許文献】
【０００５】
【特許文献１】特開平７−５４４０７号公報
【特許文献２】特開２００１−３３１３号公報
【発明の概要】
【発明が解決しようとする課題】
【０００６】
しかしながら、特許文献１に記載された定着構造では、衝撃吸収力はアンカーボルトの外周に配置されたゴム材の肉厚に依存し、アンカーボルト全体が大型化しやすいという問題があった。また、アンカーボルトとゴム材との付着強度が弱く、上向きの引張力に弱いという問題もあった。
【０００７】
また、特許文献２に記載された定着構造では、衝撃吸収材の容量がベースプレートの板厚やアンカーボルトの本数に依存し、衝撃吸収材の容量が不足する可能性があった。また、衝撃吸収材の容量を満足させるために、ベースプレートの板厚を増したり、アンカーボルトの本数を増やしたりすることは、部品のコストアップ、部品点数の増加、作業工数の増加等を招き、不経済であった。
【０００８】
本発明は上述した問題点に鑑み創案されたものであり、簡易な構造で衝撃吸収力を向上させることができる、アンカーの定着構造及び方法を提供することを目的とする。
【課題を解決するための手段】
【０００９】
本発明によれば、コンクリート構造物に形成された型抜き部に挿通され埋め込まれて固定されるアンカーの定着構造において、前記コンクリート構造物に埋め込まれ前記型抜き部を形成するとともに弾性体により形成された型枠と、該型枠に挿通された前記アンカーを固定する充填材と、を有することを特徴とするアンカーの定着構造が提供される。
【００１０】
前記型枠は、有底若しくは無底の筒形状を有していてもよいし、中心線が前記アンカーの延伸方向に対して傾斜した有底若しくは無底の筒形状を有していてもよいし、底部に向かって拡径した有底若しくは無底の筒形状を有していてもよいし、外周面に凹凸を有する有底若しくは無底の筒形状を有していてもよいし、底部に拡径したヘッドプレートを有する有底若しくは無底の筒形状を有していてもよいし、外周面に複数のずれ止めが配置された有底若しくは無底の筒形状を有していてもよい。
【００１１】
また、前記型枠は、外周面に形成された複数の開口部と、前記コンクリート構造物のコンクリート打設時に前記開口部を封止する仕切部材と、該仕切部材を貫通して前記開口部に挿通されるずれ止めと、を有していてもよい。
【００１２】
また、本発明によれば、コンクリート構造物に形成された型抜き部に挿通され埋め込まれて固定されるアンカーの定着方法において、前記コンクリート構造物のコンクリート打設時に前記型抜き部を形成するとともに弾性体により形成された型枠を設置する型枠設置工程と、前記型枠により形成された前記型抜き部に前記アンカーを挿通するとともに前記型枠の内部に充填材を充填し前記アンカーを固定するアンカー固定工程と、を有することを特徴とするアンカーの定着方法が提供される。
【００１３】
前記型枠は、外周面に形成された複数の開口部を有し、前記アンカー固定工程の前に、前記開口部を封止する仕切部材を配置する封止工程と、前記仕切部材を貫通して前記開口部にずれ止めを挿通するずれ止め配置工程と、を有していてもよい。
【００１４】
さらに、前記コンクリート構造物のコンクリート固化後かつ前記アンカー固定工程の前に、前記仕切部材を除去する仕切部材除去工程を有していてもよい。
【発明の効果】
【００１５】
上述した本発明のアンカーの定着構造及び方法によれば、弾性体により形成された型枠をコンクリート構造物に埋め込んでから、該型枠内にアンカーを充填材で固定するようにしたことから、コンクリート構造物と充填材との間に緩衝材として作用する弾性体を介在させることができ、簡易な構造で衝撃吸収力を向上させることができる。
【図面の簡単な説明】
【００１６】
【図１】本発明の第一実施形態に係るアンカーの定着構造を示す断面図である。
【図２】本発明の他の実施形態に係るアンカーの定着構造を示す図であり、（ａ）は第二実施形態、（ｂ）は第三実施形態、（ｃ）は第四実施形態、（ｄ）は第五実施形態、を示している。
【図３】本発明の他の実施形態に係るアンカーの定着構造を示す図であり、（ａ）は第六実施形態、（ｂ）は第七実施形態、（ｃ）は第八実施形態、（ｄ）は第九実施形態、を示している。
【図４】本発明の他の実施形態に係るアンカーの定着構造を示す図であり、（ａ）は第十実施形態、（ｂ）は第十一実施形態、（ｃ）は第十二実施形態、（ｄ）は第十三実施形態、を示している。
【図５】本発明の第一実施形態に係るアンカーの定着方法を示す図であり、（ａ）は型枠設置工程、（ｂ）はコンクリート打設工程、（ｃ）アンカー固定工程の一部、を示している。
【図６】本発明の第二実施形態に係るアンカーの定着方法を示す図であり、（ａ）は型枠設置工程、（ｂ）はコンクリート打設工程、（ｃ）仕切部材除去工程、を示している。
【図７】図１に示したアンカーの定着構造の使用例を示す図である。
【発明を実施するための形態】
【００１７】
以下、本発明の実施形態について図１〜図７を用いて説明する。ここで、図１は、本発明の第一実施形態に係るアンカーの定着構造を示す断面図である。
【００１８】
本発明の第一実施形態に係るアンカーの定着構造１は、コンクリート構造物１１に形成された型抜き部１２に挿通され埋め込まれて固定されるアンカー２の定着構造であって、コンクリート構造物１１に埋め込まれ型抜き部１２を形成するとともに弾性体により形成された型枠３と、型枠３に挿通されたアンカー２を固定する充填材４と、を有している。
【００１９】
コンクリート構造物１１は、例えば、建築物の基礎コンクリート、橋梁の落橋防止装置等の付属物等を支持する下部構造物、工作機械、設備機器、Ｈ型鋼等の補強材を固定するコンクリート部材（例えば、柱、梁、床、壁等）である。コンクリート構造物１１の施工は、一般に、コンクリートが固まるまでの形状を保持する型枠を組む型枠組み工程と、型枠内にコンクリートを打ち込む打設工程と、コンクリートの適切な水和反応を促す養生工程と、を有している。
【００２０】
型抜き部１２を形成する型枠３は、コンクリート構造物１１の型枠組み工程において、他の型枠と一緒に組み込まれる。型枠３は、上部が開口した略円柱形状又は略角柱形状を有しており、コンクリート構造物１１が形成されると型枠３内の空間が型抜き部１２を形成する。図１に示した型枠３は、有底の円筒形状を有している。コンクリート構造物１１の施工に用いた他の型枠は、コンクリート固化後に撤去されるが、上述した型枠３はそのままコンクリート構造物１１に埋め込まれて使用される。
【００２１】
型枠３は、高い弾性力を有する素材、好ましくは耐衝撃性に優れた素材である弾性体（例えば、天然ゴム、合成ゴム、エポキシ樹脂、ＡＢＳ樹脂、ポリスチレン樹脂、衝撃吸収プラスチック等）により形成される。型枠３により形成される型抜き部１２の大きさ（容積）や型枠３の肉厚は、求められる耐衝撃性やアンカー２の太さ等の条件によって適宜設定される。かかる型枠３をコンクリート構造物１１に埋め込むことにより、アンカー２を保持する充填材４とコンクリート構造物１１との間に緩衝材を構成する弾性体を介在させることができ、型枠３の弾性力によって耐衝撃性を向上させることができる。
【００２２】
アンカー２は、コンクリート構造物１１に固定される金属製又は樹脂製の棒状部材であり、具体的には、アンカーボルト、アンカーロッド、アンカーバー等である。また、アンカー２には、Ｊ形アンカーボルト、Ｌ形アンカーボルト、ＪＬ形アンカーボルト、片ねじアンカーボルト、両ねじアンカーボルト、全ねじアンカーボルト等の種々の形態を任意に選択することができる。
【００２３】
図１に示したように、アンカー２は、型枠３により形成された型抜き部１２内に挿通され、型枠３内に打ち込まれて充填される充填材４によって固定される。充填材４には、例えば、コンクリート、モルタル、エポキシアクリレート樹脂等の素材が使用される。また、充填材４として、膨張性を有するアルミニウム粉末を混合したグラウト材を使用したり、カルシウムサルホアルミネート（ＣＳＡ）系や石灰系又は石灰−ＣＳＡ系の膨張材を混合したコンクリートやモルタルを使用したりしてもよい。膨張性を有する充填材４を使用した場合には、充填材４の膨張力によってアンカー２及び型枠３を拘束することができ、上向きの引張力に強い定着構造１を形成することができる。
【００２４】
上述した本実施形態に係るアンカー２の定着構造１によれば、弾性体により形成された型枠３をコンクリート構造物１１に埋め込んでから、型枠３内にアンカー２を充填材４で固定するようにしたことから、コンクリート構造物１１と充填材４との間に緩衝材として作用する弾性体を介在させることができ、簡易な構造で衝撃吸収力を向上させることができる。
【００２５】
特に、緩衝材となる型枠３を、アンカー２と接触せずに、コンクリート構造物１１及び充填材４に接触させることによって、アンカー２の保持力（耐力）の低下を抑制することができる。また、型枠３を有底構造とすることにより、水平方向だけでなく、上下方向に生じる力に対しても衝撃吸収力を向上させることができる。
【００２６】
次に、本発明の他の実施形態に係るアンカー２の定着構造１について、図２〜図４を参照しつつ説明する。ここで、図２は、本発明の他の実施形態に係るアンカーの定着構造を示す図であり、（ａ）は第二実施形態、（ｂ）は第三実施形態、（ｃ）は第四実施形態、（ｄ）は第五実施形態、を示している。図３は、本発明の他の実施形態に係るアンカーの定着構造を示す図であり、（ａ）は第六実施形態、（ｂ）は第七実施形態、（ｃ）は第八実施形態、（ｄ）は第九実施形態、を示している。図４は、本発明の他の実施形態に係るアンカーの定着構造を示す図であり、（ａ）は第十実施形態、（ｂ）は第十一実施形態、（ｃ）は第十二実施形態、（ｄ）は第十三実施形態、を示している。なお、上述した第一実施形態と同じ構成部品については、同じ符号を付して重複した説明を省略する。
【００２７】
図２（ａ）に示した第二実施形態に係る定着構造１は、型枠３が無底の筒形状を有している。型枠３を無底形状とすることにより、充填材４の底部をコンクリート構造物１１に接触させて固着させることができ、上向きの引張力に対する耐力を向上させることができる。なお、コンクリート構造物１１のコンクリート打設時には、型枠３の底部を紙や木枠等の封止部材により塞いだり、型枠３内に円柱形状の型材を挿入したりすることにより、型枠３内へのコンクリートの侵入を抑制することができる。
【００２８】
図２（ｂ）に示した第三実施形態に係る定着構造１は、型枠３が外周面に上下方向（アンカー２の延伸方向）の凹凸を有する筒形状を有している。この凹凸は、例えば、型枠３の直径を上下方向に沿って大きくしたり小さくしたり変動させることによって形成される。型枠３の外周面に凹凸を形成することによって、コンクリート構造物１１及び充填材４との接触面積を大きくすることができるとともに引っ掛かり部分を形成することで、支圧抵抗を確保することができ、型枠３の固着力を向上させることができ、上向きの引張力に対する耐力を向上させることができる。なお、本実施形態において、型枠３は、有底形状であってもよいし、無底形状であってもよい。
【００２９】
図２（ｃ）に示した第四実施形態に係る定着構造１は、有底形状の型枠３の底部にアンカー２を係止する係止部３１を形成したものである。係止部３１は、アンカー２を圧入又は螺合可能な穴を有している。かかる係止部３１を型枠３に形成することにより、アンカー２と型枠３とを機械的に連結することができ、アンカー２をより強固に固定することができ、上向きの引張力に対する耐力を向上させることができる。
【００３０】
図２（ｄ）に示した第五実施形態に係る定着構造１は、型枠３が外周面に水平方向（アンカー２を垂線とする平面内の方向）の凹凸を有する筒形状を有している。ここで、図２（ｄ）は定着構造１の平面図を図示している。この凹凸は、例えば、型枠３の直径を水平方向に沿って大きくしたり小さくしたり変動させることによって形成される。型枠３の外周面に凹凸を形成することによって、コンクリート構造物１１及び充填材４との接触面積を大きくすることができ、型枠３の固着力を向上させることができ、上向きの引張力に対する耐力を向上させることができる。なお、本実施形態において、型枠３は、有底形状であってもよいし、無底形状であってもよい。
【００３１】
図３（ａ）に示した第六実施形態に係る定着構造１は、型枠３が斜めに延伸した筒形状を有している。具体的には、型枠３の中心線Ｍがアンカー２の延伸方向Ｌに対して傾斜している。このように、型枠３の中心線Ｍとアンカー２の延伸方向Ｌとをずらすことによって、型枠３とコンクリート構造物１１との係合力を向上させることができ、上向きの引張力に対する耐力を向上させることができる。なお、本実施形態において、型枠３は、有底形状であってもよいし、無底形状であってもよい。
【００３２】
図３（ｂ）に示した第七実施形態に係る定着構造１は、型枠３が略Ｓ字形状に蛇行するように延伸した筒形状を有している。かかる構成によっても、型枠３の中心線Ｍとアンカー２の延伸方向Ｌとをずらす（傾斜させる）ことができ、第六実施形態と同様の効果を有し、かつ、第六実施形態に示した型枠３よりも水平方向の大きさ（横幅）を小さくすることができる。なお、本実施形態において、型枠３は、有底形状であってもよいし、無底形状であってもよい。
【００３３】
図３（ｃ）に示した第八実施形態に係る定着構造１は、型枠３が底部に向かって均等に拡径した筒形状を有している。具体的には、型枠３は、円錐台形状又は角錐台形状を有しており、上部側（コンクリート構造物１１の表面側）が狭く、底部側が広く形成されている。かかる構成によれば、アンカー２に上向きの大きな引張力が作用した場合であっても、型枠３の楔効果によって耐力を向上させることができる。なお、本実施形態において、型枠３は、有底形状であってもよいし、無底形状であってもよい。
【００３４】
図３（ｄ）に示した第九実施形態に係る定着構造１は、型枠３が底部に向かって滑らかな曲線状に拡径した筒形状を有している。アンカー２の延伸方向に沿って、型枠３の外周面における拡径率を変動させることによって、図示したような、略壷形状を形成することができる。かかる構成によっても第八実施形態と同様の効果を有し、かつ、第八実施形態に示した型枠３よりも水平方向の大きさ（横幅）を小さくすることができる。なお、本実施形態において、型枠３は、有底形状であってもよいし、無底形状であってもよい。
【００３５】
図４（ａ）に示した第十実施形態に係る定着構造１は、型枠３の底部に拡径したヘッドプレート３２を配置したものである。ヘッドプレート３２は、円形状又は矩形形状を有し、型枠３の直径よりも大きな横幅を有している。ヘッドプレート３２は、樹脂製であってもよいし、金属製であってもよいし、型枠３と一体に形成されていてもよいし、後付可能となるように別体に形成されていてもよい。型枠３の底部にヘッドプレート３２を配置することにより、型枠３とコンクリート構造物１１との係合力を向上させることができ、上向きの引張力に対する耐力を向上させることができる。なお、本実施形態において、型枠３は、有底形状であってもよいし、無底形状であってもよい。
【００３６】
図４（ｂ）に示した第十一実施形態に係る定着構造１は、型枠３の外周面に複数のずれ止め３３を配置したものである。ずれ止め３３は、例えば、棒状の突起物である。ずれ止め３３は、樹脂製であってもよいし、金属製であってもよいし、型枠３と一体に形成されていてもよいし、圧入又は螺合可能となるように別体に形成されていてもよい。型枠３の外周面にずれ止め３３を配置することにより、型枠３とコンクリート構造物１１との係合力を向上させることができ、上向きの引張力に対する耐力を向上させることができる。なお、本実施形態において、型枠３は、有底形状であってもよいし、無底形状であってもよい。
【００３７】
また、ずれ止め３３は、型枠３の壁面を貫通するように配置してもよい。ずれ止め３３を型枠３の内部まで到達させることにより、ずれ止め３３と充填材４との係合力を向上させることができ、上向きの引張力に対する耐力をさらに向上させることができる。
【００３８】
図４（ｃ）に示した第十二実施形態に係る定着構造１は、型枠３が、外周面に形成された複数の開口部３４と、コンクリート構造物１１のコンクリート打設時に開口部３４を封止する仕切部材３５と、開口部３４に挿通され仕切部材３５に支持されるずれ止め３３と、を有している。開口部３４は、型枠３の外周面に水平方向及び上下方向に複数形成されている。開口部３４の直径は、ずれ止め３３の直径よりも大きく形成されている。開口部３４には、コンクリート構造物１１のコンクリート打設時にコンクリートが型枠３内に侵入しないように仕切部材３５が配置される。
【００３９】
仕切部材３５は、例えば、紙、木材、樹脂、金属等の素材によって形成され、開口部３４を封止できる形状であればどのような形状であってもよい。ずれ止め３３は、この仕切部材３５を貫通して開口部３４に挿通される。ずれ止め３３は、仕切部材３５や型枠３に支持させるようにしてもよいし、図示しないワイヤ等によって固定するようにしてもよい。例えば、ずれ止め３３を仕切部材３５に支持させる場合には、仕切部材３５にずれ止め３３の直径よりも僅かに小さい孔を形成しておき、この孔にずれ止め３３を圧入又は螺合させて固定することができる。また、ずれ止め３３は、型枠３の外側と内側の両方に延在するように配置することが好ましい。
【００４０】
かかる型枠３を使用してコンクリート構造物１１を形成すると、型枠３から突出したずれ止め３３の先端部はコンクリートに埋め込まれて固定される。この状態で、アンカー２を型枠３内に挿通し、充填材４を充填することにより、アンカー２をコンクリート構造物１１に固定することができる。本実施形態によれば、型枠３の内外に延在するずれ止め３３によって、コンクリート構造物１１のコンクリートと充填材４とを連結することができ、上向きの引張力に対する耐力を向上させることができる。なお、本実施形態において、型枠３は、有底形状であってもよいし、無底形状であってもよい。
【００４１】
図４（ｄ）に示した第十三実施形態に係る定着構造１は、上述した第十二実施形態において、コンクリート構造物１１のコンクリート固化後に仕切部材３５を除去してから、型枠３内に充填材４を充填するようにしたものである。かかる構成によれば、開口部３４において、コンクリート構造物１１のコンクリートと充填材４とを直に接触させて一体化させることにより、この一体化した部分によって型枠３の移動を強固に拘束することができ、上向きの引張力に対する耐力をさらに向上させることができる。また、この一体化した部分にずれ止め３３を挿通することにより、一体化した部分の剪断強度が飛躍的に向上し、上向きの引張力に対する耐力をさらに向上させることができる。
【００４２】
次に、本発明の実施形態に係るアンカー２の定着方法について、図５及び図６を参照しつつ説明する。ここで、図５は、本発明の第一実施形態に係るアンカーの定着方法を示す図であり、（ａ）は型枠設置工程、（ｂ）はコンクリート打設工程、（ｃ）アンカー固定工程の一部、を示している。図６は、本発明の第二実施形態に係るアンカーの定着方法を示す図であり、（ａ）は型枠設置工程、（ｂ）はコンクリート打設工程、（ｃ）仕切部材除去工程、を示している。なお、上述した定着構造１と同じ構成部品については、同じ符号を付して重複した説明を省略する。
【００４３】
本発明の第一実施形態に係るアンカー２の定着方法は、図５（ａ）〜（ｃ）に示したように、コンクリート構造物１１に形成された型抜き部１２に挿通され埋め込まれて固定されるアンカー２の定着方法であって、コンクリート構造物１１のコンクリート打設時に型抜き部１２を形成するとともに弾性体により形成された型枠３を設置する型枠設置工程と、型枠３により形成された型抜き部１２にアンカー２を挿通するとともに型枠３の内部に充填材４を充填しアンカー２を固定するアンカー固定工程と、を有している。
【００４４】
型枠設置工程は、図５（ａ）に示したように、コンクリート構造物１１内に埋め込まれる鉄筋１３やコンクリート構造物１１の型枠（図示せず）等に固定される。型枠３の固定治具については、説明の便宜上、図を省略してある。また、ここでは、上述した第一実施形態に係る定着構造１の型枠３を図示しているが、上述した他の実施形態における型枠３であってもよいことは勿論である。なお、鉄筋１３については、説明の便宜上、一点鎖線で図示している。
【００４５】
続いて、コンクリート構造物１１を形成するために、図５（ｂ）に示したように、コンクリートが打ち込まれる（打設工程）。その後、必要に応じて、締固め、仕上げを行い、養生される（養生工程）。
【００４６】
コンクリート構造物１１のコンクリートが固化した後、すなわち、コンクリート構造物１１が形成された後、図５（ｃ）に示したように、アンカー２が型枠３に仮留めされる。アンカー２は、例えば、プレート状の固定治具２１により、型枠３の略中心部に固定される。固定治具２１は、図示したものに限定されず、アンカー２を型枠３の底部や内面に固定可能な形状を有していてもよい。その後、型枠３の内部に充填材４を充填することによって、アンカー２が型枠３に固定されアンカー固定工程が完了する。最終的に、固定治具２１を除去することにより、図１に示した定着構造１が形成される。
【００４７】
本発明の第二実施形態に係るアンカー２の定着方法は、図６（ａ）〜（ｃ）に示したように、上述した型枠設置工程及びアンカー固定工程に加えて、型枠３が外周面に形成された複数の開口部３４を有し、アンカー固定工程の前に、開口部３４を封止する仕切部材３５を配置する封止工程と、仕切部材３５を貫通して開口部３４にずれ止め３３を挿通するずれ止め配置工程と、コンクリート構造物１１のコンクリート固化後かつアンカー固定工程の前に、仕切部材３５を除去する仕切部材除去工程と、を有している。
【００４８】
図６（ａ）に示した型枠設置工程は、開口部３４を有する型枠３を、コンクリート構造物１１内に埋め込まれる鉄筋１３やコンクリート構造物１１の型枠（図示せず）等に固定する工程である。このとき、開口部３４には、仕切部材３５が配置されるとともに、ずれ止め３３が仕切部材３５を貫通して挿通される。仕切部材３５及びずれ止め３３は、型枠３に配置してから型枠３を設置するようにしてもよいし、型枠３を設置してから型枠３に配置するようにしてもよい。
【００４９】
続いて、コンクリート構造物１１を形成するために、図６（ｂ）に示したように、コンクリートが打ち込まれる（打設工程）。その後、必要に応じて、締固め、仕上げを行い、養生される（養生工程）。この状態で、例えば、図５（ｃ）に示した工程と同様にしてアンカー２を型枠３に固定し、型枠３の内部に充填材４を充填することによって、図４（ｃ）に示した第十二実施形態に係る定着構造１を形成することができる。
【００５０】
また、図６（ｃ）に示したように、型枠３の開口部３４に配置された仕切部材３５を除去してから、図５（ｃ）に示した工程と同様にしてアンカー２を型枠３に固定し、型枠３の内部に充填材４を充填するようにしてもよい。図６（ｃ）に示した仕切部材除去工程では、ずれ止め３３がコンクリート構造物１１に固着されていることから、仕切部材３５を除去したとしても、ずれ止め３３を開口部３４内に保持することができる。かかる工程を経ることにより、図４（ｄ）に示した第十三実施形態に係る定着構造１を形成することができる。
【００５１】
最後に、上述したアンカー２の定着構造１の使用例について説明する。ここで、図７は、図１に示したアンカーの定着構造の使用例を示す図である。なお、上述した第一実施形態に係る定着構造１と同じ構成部品については、同じ符号を付して重複した説明を省略する。
【００５２】
本使用例は、橋梁の支承５に定着構造１を使用したものである。支承５は、主桁や主構等の上部工５１と、橋台や橋脚等の下部工５２との間に設置される。アンカー２は、コンクリート構造物１１である下部工５２に固定される。アンカー２の定着構造１としては、上述した第一実施形態〜第十三実施形態のいずれを採用してもよい。
【００５３】
なお、上述したアンカー２の定着構造１において、アンカー２を縦（鉛直方向）に配置する場合について説明したが、アンカー２を横（水平方向）に配置してもよいし、傾斜させて配置してもよい。
【００５４】
本発明は上述した実施形態に限定されず、本発明の趣旨を逸脱しない範囲で種々変更が可能であることは勿論である。
【符号の説明】
【００５５】
１  定着構造
２  アンカー
３  型枠
４  充填材
１１  コンクリート構造物
１２  型抜き部
３２  ヘッドプレート
３３  ずれ止め
３４  開口部
３５  仕切部材
【図１】
2014227700.tif 000003
【図２】
2014227700.tif 000004
【図３】
2014227700.tif 000005
【図４】
2014227700.tif 000006
【図５】
2014227700.tif 000007
【図６】
2014227700.tif 000008
【図７】
2014227700.tif 000009